(57)【要約】      （修正有）【課題】光源を搭載する筐体を軽量化することができ後方から十分に空気の取り込みが可能な照明装置を提供する。【解決手段】外周壁部１０ａと内周壁部１０ｂを有し、前方にリング状の収容溝１０ｄが形成されるリング状筐体１と、収容溝１０ｄに収容され、ＬＥＤ３１が搭載される光源基板３０と、リング状筐体１の中央に配置される送風器と、収容溝１０ｄを閉鎖し透光性を有するリング状カバー１１と、リング状筐体１の後部側に設けられる送風器支持部と、天井に取り付けられる取付部５と、送風器支持部と取付部５を連結する連結部と、を備えた。【選択図】図４
0003220465.tif 000002
【実用新案登録請求の範囲】
【請求項１】
外周壁部と内周壁部を有し、前方にリング状の収容溝が形成されるリング状筐体と、
前記収容溝に収容され、発光素子が搭載される光源基板と、
前記リング状筐体の中央に配置される送風器と、
前記収容溝を閉鎖し透光性を有するリング状カバーと、
前記リング状筐体に設けられる送風器支持部と、
被取り付け部に取り付けられる取付部と、
前記送風器支持部と前記取付部を連結する連結部と、を備えたことを特徴とする照明装置。
【請求項２】
前記連結部は、前記送風器支持部と前記取付部の相対角度を変更する機能を有することを特徴とする請求項１に記載の照明装置。
【請求項３】
前記内周壁部の方が前記外周壁部よりも突出高さが高くなっていることを特徴とする請求項１又は２に記載の照明装置。
【請求項４】
前記取付部は、前記被取り付け部に設けられたソケットに結合する口金を有することを特徴とする請求項１〜３のいずれか１項に記載の照明装置。
【請求項５】
前記送風器支持部は、前方側に基板と羽根回転用のモーターを搭載していることを特徴とする請求項１〜４のいずれか１項に記載の照明装置。
【請求項６】
前記送風器は、送風羽根が外周に取り付けられる筒体を備え、この筒体の内部に前記モーターが収容されていることを特徴とする請求項５に記載の照明装置。
【考案の詳細な説明】
【技術分野】
【０００１】
本考案は、送風器を有する照明装置に関する。
【背景技術】
【０００２】
かかる照明装置として、下記特許文献１に開示される空調機能を有する照明装置が公知である。この照明装置は、両端の少なくとも一方に開口部を有する筐体と、筐体の外側面の外側に設けられている光源と、筐体の内部の空気を開口部を通して送り出す送風器を備えている。
【先行技術文献】
【特許文献】
【０００３】
【特許文献１】特開２０１７−９１９７３号公報
【考案の概要】
【考案が解決しようとする課題】
【０００４】
この照明装置の筐体は、前方に開口部を有するが後方には小さな通気孔しかない。従って、筐体の内部に空気を取り入れるには十分ではない。また、筐体自身の重量も大きくなる。
【０００５】
本考案は上記実情に鑑みてなされたものであり、その課題は、光源を搭載する筐体を軽量化することができ後方から十分に空気の取り込みが可能な照明装置を提供することである。
【課題を解決するための手段】
【０００６】
上記課題を解決するため本考案に係る照明装置は、
外周壁部と内周壁部を有し、前方にリング状の収容溝が形成されるリング状筐体と、
前記収容溝に収容され、発光素子が搭載される光源基板と、
前記リング状筐体の中央に配置される送風器と、
前記収容溝を閉鎖し透光性を有するリング状カバーと、
前記リング状筐体に設けられる送風器支持部と、
被取り付け部に取り付けられる取付部と、
前記送風器支持部と前記取付部を連結する連結部と、を備えたことを特徴とするものである。
【０００７】
かかる照明装置の作用・効果を以下説明する。まず、筐体はリング状に形成されており、この筐体に形成されたリング状の収容溝に光源が搭載される。送風器は、筐体の中央に配置される。筐体がリング状に形成されているので、後方からも十分に空気を取り込むことができる。また、リング状に形成することで筐体自身の軽量化も図ることができる。従って、光源を搭載する筐体を軽量化することができ後方から十分に空気の取り込みが可能な照明装置を提供することができる。
【０００８】
本考案に係る前記連結部は、前記送風器支持部と前記取付部の相対角度を変更する機能を有することが好ましい。
【０００９】
この構成によると、送風器の送風方向を設置される空間の事情に合わせて変更することができる。
【００１０】
本考案において、前記内周壁部の方が前記外周壁部よりも突出高さが高くなっていることが好ましい。この構成によると、光源基板を収容溝に収容するときの作業が行いやすくなる。
【００１１】
本考案に係る前記取付部は、前記被取り付け部に設けられたソケットに結合する口金を有することが好ましい。
【００１２】
照明装置を取り付ける場合に、口金をソケットに結合するタイプのものがある。例えば、トイレなどは、白熱電球をソケットに差し込むタイプのものがあり、これを利用して発光素子が搭載された光源を有する照明装置も白熱電球と同様に取り付けることができ有用性が高まる。
【００１３】
本考案に係る前記送風器支持部は、前方側に基板と羽根回転用のモーターを搭載していることが好ましい。
【００１４】
この構成によると、リング状筐体の筒の中に送風器の羽根を収容することができ、照明装置をコンパクトな形にすることができる。
【００１５】
本考案に係る前記送風器は、送風羽根が外周に取り付けられる筒体を備え、この筒体の内部に前記モーターが収容されていることが好ましい。
【００１６】
かかる構成によると、筒体の内部にモーターが収容されるので、送風器全体の小型化に寄与することができる。
【図面の簡単な説明】
【００１７】
【図１】本実施形態に係る照明装置の側面図
【図２】本実施形態に係る照明装置の正面図
【図３】本実施形態に係る照明装置の背面側から見た斜視図
【図４】本実施形態に係る照明装置の中央縦断面図
【図５】本実施形態に係る照明装置のカバー等を取り外した状態の正面図
【図６】連結軸間の相対角度を変更した状態を示す図
【図７】羽根ガードの係合態様を説明する図
【考案を実施するための形態】
【００１８】
本考案に係るの好適な実施形態を図面を用いて説明する。図１は、本実施形態に係る照明装置の側面図である。この照明装置は、トイレ内部に設置されるものであり、天井に取り付けられる。図２は、図１の照明装置の正面図である。図３は、図１の照明装置を背面側から見た斜視図である。図４は、図１の照明装置の中央縦断面図である。図５は、カバー等を取り外した状態の正面図である。説明の便宜上、図１の下方を前方、上方を後方と定義する。
【００１９】
この照明装置は、送風器を有すると共にＬＥＤによる照明機能も有する。照明装置は、リング状筐体１を有し、その中央に送風器２が配置される。リング状筐体１は、後方筐体部１０とリング状カバー１１により構成される。後方筐体部１０は、外周壁部１０ａ、内周壁部１０ｂ、後方壁部１０ｃを備えており、これにより、前方が開口した略コの字の収容溝１０ｄが形成される。なお、内周壁部１０ｂの方が、外周壁部１０ａよりも前方に突出した状態である。
【００２０】
図５に示すように、収容溝１０ｄには、発光素子であるＬＥＤ３１が搭載される光源基板３０が収容される。光源基板３０は、円周方向にそって９０゜ごとに合計４つ配置される。なお、光源基板３０は、本実施形態に限定されるものではなく、種々の変形例が可能である。例えば、１つのリング状の基板で構成してもよいし、４つ以外の個数の基板で構成してもよい。隣接する基板同士は、配線３２により接続される。また、不図示の電源回路から配線３３により電源供給を受ける。光源基板３０の上には４つのＬＥＤ３１が搭載されているが、ＬＥＤ３１の搭載個数や間隔は適宜設定することができる。
【００２１】
リング状カバー１１は、後方筐体部１０の前方に取り付けられて、収容溝１０ｄを閉鎖する。リング状カバー１１は、透光性および拡散性を有する樹脂であり、ＬＥＤ３１が照射する光を透過させる。
【００２２】
送風器２は、送風羽根２０と、送風羽根２０を回転するモーター２１と、基板２２を有する。送風羽根２０は７枚で構成されるが、その枚数や形状は適宜決めることができる。基板２２には、モーター２１やモーター２１を駆動させるために必要な回路部品が搭載される。送風羽根２０の中心には筒体２３があり、その外周部に送風羽根２０が一体的に形成される。この筒体２３の内部にモーター２１の全部または一部が収容される。これにより、送風器２の小型化に寄与することができる。
【００２３】
送風羽根２０の前方には羽根ガード４が設けられる。図２に示すように、羽根ガード４は、放射方向に延びる多数のスポーク４０を備える。スポーク４０の内側は、中央の保護板と連結し、外側は外周リング４１と連結する。
【００２４】
羽根ガード４は、着脱自在にリング状筐体１の内周壁部１０ｂに係合される。図７は、羽根ガード４の係合態様を説明する図である。内周壁部１０ｂには、図５に示すように、円周方向に沿って等間隔に４カ所係合ピン１２が形成されている。一方、外周リング４１には、この係合ピン１２と係合可能な略Ｌ字状の係合溝４１ａが形成されている。
【００２５】
羽根ガード４を取り付けるときは、図７（ａ）に示すように、係合ピン１２と係合溝４１ａの位置を合わせて、矢印Ａの方向に押し込む。次に、羽根ガード４を円周方向に沿って図７（ｂ）の矢印Ｂの方向に回転移動させる。これにより、係合ピン１２が係合溝４１ａの一番奥まで移動して、羽根ガード４がリング状筐体１に係合される。羽根ガード４を外すときは、上記と逆の手順を行えばよい。係合ピン１２は、リング状筐体１と一体成型でもよいし、別部品でもよい。
【００２６】
図３に示すように、リング状筐体１の後部側には、送風器支持部１３が設けられ、この送風器支持部１３は、４本のスポーク１４により、リング状筐体１の内周壁部１０ｂに一体的に連結される。送風器支持部１３やスポーク１４は、リング状筐体１と一体成型してもよいし、別部品で構成してもよい。スポーク１４とスポーク１４の間は空間が形成されており、空気の通り道になる。
【００２７】
照明装置の後部には、取付部５が設けられ、取り付け本体５０と口金５１を有する。取り付け本体５０は、円筒形を呈しており、その内部には電源回路や送風器２や光源基板３０を制御するための制御回路などが収納される。スポーク１４は、図５に示す配線３３を通すための通路（不図示）が形成されており、上記電源回路や制御回路と電気的に接続される。
【００２８】
口金５１は、従来の白熱電球と同じ形態を有している。トイレの場合、天井（被取り付け部に相当）にソケットが設けられており、ここに口金を差し込むことで電球を取り付けているが、同じ方式で本考案に係る照明装置を取り付けることができる。
【００２９】
取り付け本体５０には連結軸５２が設けられており、内部に配線を通すための穴５２ａが形成されている。また、送風器支持部１３の後方にも連結軸１５が設けられており、その内部に配線を通すための穴が形成される。これら連結軸１５，５２は、連結ピン１６で結合されており、これらにより連結部が構成される。この連結部の構成により、連結軸１５と連結軸５２の相対角度を変更することができる。図６は、相対角度を変更した状態を示す。これにより、照明装置の照明方向と送風方向を適宜変更することができる。
【００３０】
本実施形態に係る照明装置の送風や照明は、不図示のリモコンにより制御することができる。あるいは、トイレ内の壁面に設けられたスイッチにより制御するようにしてもよい。
【００３１】
＜別実施形態＞
本実施形態では照明装置がトイレ用であるものとして説明したが、本考案はトイレ用に限定されるものではない。浴室、台所、リビング等、種々の用途の部屋において使用することができる。
【００３２】
本実施形態では、リング状筐体１は、外周壁部１０ａ、内周壁部１０ｂ、後方壁部１０ｃを備えているが、壁部の構成はこれに限定されるものではない。例えば、後方壁部が外周壁部または内周壁部と連続した曲面で形成されていてもよい。
【符号の説明】
【００３３】
１        リング状筐体
１０      後方筐体部
１０ａ    外周壁部
１０ｂ    内周壁部
１０ｃ    後方壁部
１０ｄ    リング状溝
１１      リング状カバー
１２      係合ピン
１３      送風器支持部
１４      スポーク
１５      連結軸
１６      連結ピン
２        送風器
２０      送風羽根
２１      モーター
３０      光源基板
３１      ＬＥＤ（発光素子）
４        羽根ガード
４０      スポーク
４１      外周リング
５        取付部
５０      取り付け本体
５１      口金
５２      連結軸
【図１】
0003220465.tif 000003
【図２】
0003220465.tif 000004
【図３】
0003220465.tif 000005
【図４】
0003220465.tif 000006
【図５】
0003220465.tif 000007
【図６】
0003220465.tif 000008
【図７】
0003220465.tif 000009